(57)【要約】【課題】透過領域の面積と非透過領域の面積が同じである複数のカラーリボンを識別すること。【解決手段】記録装置はインクリボンを熱源に搬送し、第一パネルに熱源から熱を供給して第一パネルに保持されている第一インクを中間転写体に転写することで中間転写体に第一インクによるマークを形成し、インクリボンを搬送することで中間転写体に形成されたマークと第五パネルとを位置合わせし、熱源によりマークに熱を供給することで第五パネルによるマークのピールオフを試行し、第五パネルにおいてマークが検出されると、インクリボンを、ピールオフパネルを有するインクリボンであると判別し、マークが検出されなければ、インクリボンを、ピールオフパネルを有しないインクリボンであると判別する。【選択図】図８
2019217719.tif 000002
【特許請求の範囲】
【請求項１】
中間転写体と、記録用インクを保持する第一パネルと記録用インク以外を保持する第二パネルとを含むインクリボンと、を用いて記録媒体に画像を形成する記録装置であって、
前記記録装置は前記第二パネルとして前記中間転写体上のインクを剥離するピールオフパネルを使用可能であり、
前記インクリボンを搬送する搬送手段と、
前記インクリボンに熱を供給する熱源と、
前記インクリボンの透過率を検出する検出手段と、
前記第一パネルを加熱して前記中間転写体に前記インクを転写したあと、前記搬送手段により前記インクリボンを移動させて、前記第二パネルを介して前記中間転写体上の前記インクを加熱する制御手段と、
前記第二パネルの前記加熱した部分における前記検出手段の検出結果に基づいて、前記第二パネルが前記ピールオフパネルであるか否かを判別する判別手段と、
前記判別手段の判別結果を外部に報知する報知手段と、
を有することを特徴とする記録装置。
【請求項２】
前記第一パネルは、前記中間転写体を介して記録媒体に転写される前記インクを保持する転写領域と、前記記録媒体に転写されない前記インクを保持する非転写領域とを有し、
前記制御手段は、非転写領域に保持されている前記インクを用いて前記検出手段で検出するためのマークが前記中間転写体に形成されるよう前記熱源を制御することを特徴とする請求項１に記載の記録装置。
【請求項３】
前記判別手段は、前記検出手段の検出結果に基づき前記インクリボンの搬送方向における前記中間転写体上の前記マークの長さを測定し、前記マークの長さが閾値以上であれば、前記第二パネルが前記ピールオフパネルであると判別することを特徴とする請求項２に記載の記録装置。
【請求項４】
前記インクはブラックインクであることを特徴とする請求項１ないし３のいずれか一項に記載の記録装置。
【請求項５】
前記第一パネルは異なる色のインクのパネルで構成され、前記インクリボンの搬送方向において、前記第一パネルの各色のパネルと前記第二パネルの各長さが等しいことを特徴とする請求項１ないし４のいずれか一項に記載の記録装置。
【請求項６】
前記判別手段は、前記搬送手段が前記インクリボンを第一の方向に搬送しているときの前記検出手段の検出結果に基づいて、前記インクリボンが前記第二パネルを含むか否かを判別することを特徴とする請求項５に記載の記録装置。
【請求項７】
前記第二パネルとして紫外線を反射するインクを含むパネルを使用可能であることを特徴とする請求項１ないし６のいずれか一項に記載の記録装置。
【請求項８】
前記検出手段で検出する前記インクを、前記中間転写体が記録媒体と接触しない余白領域に転写することを特徴とする請求項１ないし７のいずれか一項に記載の記録装置。
【請求項９】
記録用インクを保持する第一パネルと、ピールオフパネルを含む記録用インク以外を保持する第二パネルと、有するインクリボンを熱源に搬送する搬送工程と、
前記第一パネルに前記熱源から熱を供給して前記第一パネルに保持されている前記記録用インクを中間転写体に転写する転写工程と、
前記中間転写体に転写した記録用インクに対して、前記第二パネルを介して前記熱源から熱を供給するピールオフ工程と、
前記インクリボンの透過率を検出可能な検出手段の検出位置に前記第二パネルを搬送し、
前記検出手段の検出結果に基づき前記第二パネルが前記ピールオフパネルであるか否かを判別する判別工程と、
を含むことを特徴とするインクリボン判別方法。
【発明の詳細な説明】
【技術分野】
【０００１】
本発明は、記録媒体に画像を形成するする記録装置およびインクリボン判別方法に関する。
【背景技術】
【０００２】
プリンタに使用されるインクリボンの種類は多種多様である。プリンタはどのような種類のインクリボンが装着されたかを知る必要がある。特許文献１によれば、インクリボンに含まれる透過領域の長さを検出することでマルチカラーリボンとモノカラーリボンとを識別することが提案されている。
【先行技術文献】
【特許文献】
【０００３】
【特許文献１】特開２０００−８５２２３号公報
【発明の概要】
【発明が解決しようとする課題】
【０００４】
ところで、マルチカラーリボンには複数の種類が存在する。特許文献１によればマルチカラーリボンとモノクロリボンとを区別できるが、複数の種類のマルチカラーリボンを区別できない。たとえば、透過領域の面積と非透過領域の面積が同じであるＹＭＣＫＦタイプのカラーリボンとＹＭＣＫＩタイプのカラーリボンとを区別することができない。なお、ＹＭＣＫはイエローインク、マゼンタインク、シアンインク、ブラックインクを示して。Ｆは紫外線を反射する蛍光インクを示している。Ｉは画像を媒体から剥ぎ取る（ピールオフ）ためのパネルを示している。そこで、本発明は、透過領域の面積と非透過領域の面積が同じである複数のカラーリボンを識別することを目的とする。
【課題を解決するための手段】
【０００５】
本発明は、たとえば、
中間転写体と、記録用インクを保持する第一パネルと記録用インク以外を保持する第二パネルとを含むインクリボンと、を用いて記録媒体に画像を形成する記録装置であって、
前記記録装置は前記第二パネルとして前記中間転写体上のインクを剥離するピールオフパネルを使用可能であり、
前記インクリボンを搬送する搬送手段と、
前記インクリボンに熱を供給する熱源と、
前記インクリボンの透過率を検出する検出手段と、
前記第一パネルを加熱して前記中間転写体に前記インクを転写したあと、前記搬送手段により前記インクリボンを移動させて、前記第二パネルを介して前記中間転写体上の前記インクを加熱する制御手段と、
前記第二パネルの前記加熱した部分における前記検出手段の検出結果に基づいて、前記第二パネルが前記ピールオフパネルであるか否かを判別する判別手段と、
前記判別手段の判別結果を外部に報知する報知手段と、
を有することを特徴とする記録装置を提供する。
【発明の効果】
【０００６】
本発明によれば、透過領域の面積と非透過領域の面積が同じである複数のカラーリボンを識別することが可能となる。
【図面の簡単な説明】
【０００７】
【図１】記録装置を示す図
【図２】インクリボンとセンサの検知結果とを説明する図
【図３】パネルとマークを説明する図
【図４】一次転写とピールオフを説明する図
【図５】コントローラを説明する図
【図６】メインの処理を示すフローチャート
【図７】インクリボン判別処理を示すフローチャート
【図８】転写処理を示すフローチャート
【発明を実施するための形態】
【０００８】
＜記録装置の構成＞
図１は記録装置１００を示す概略断面図である。画像形成部Ｂは、インクリボンカセット４２と転写フィルムカセット５０とを有し、樹脂製または紙製のカードなどの記録媒体Ｓに顔写真や文字データなどの画像を形成する。インクリボンカセット４２と転写フィルムカセット５０とは記録装置１００から着脱可能に構成されている。
【０００９】
インクリボンカセット４２は、繰出ロール４３と巻取ロール４４を有している。繰出ロール４３には昇華型インクリボンまたは熱転写インクリボンであるインクリボン４１が巻装されている。繰出ロール４３から繰出されたインクリボン４１は巻取ロール４４によって巻き取られる。モータＭｒ１は巻取ロール４４を駆動して回転させる。モータＭｒ３は繰出ロール４３を駆動して回転させる。
【００１０】
一次転写部Ｂ１にはサーマルヘッド４０と画像形成プラテン４５とがそれぞれ対向するように配置されている。画像データに従ってサーマルヘッド４０が熱をインクリボン４１に供給することでインクリボン４１に保持されているインクが転写フィルム４６（中間転写体）に転写される。
【００１１】
転写フィルム４６は転写フィルムカセット５０に装填されている。転写フィルム４６は供給スプール４８と巻取スプール４７に巻回されている。モータＭｒ２が巻取スプール４７を駆動することで巻取スプール４７が回転する。モータＭｒ４が供給スプール４８を駆動することで巻取スプール４７が回転する。これにより、巻取スプール４７は、供給スプール４８から供給された転写フィルム４６を巻き取る。転写フィルム４６が画像形成プラテン４５とインクリボン４１の間を走行するときに、転写フィルム４６上にインク画像が形成される。移送ローラ４９は転写フィルム４６を搬送するローラの一つである。移送ローラ４９の周面に転写フィルム４６を当接させるようにピンチローラ３２ａ、３２ｂが配置されている。
【００１２】
転写ローラ３３は転写プラテン３１に対向して配置されている。転写ローラ３３と転写プラテン３１とは転写フィルム４６を挟むように配置されており、二次転写部Ｂ２を形成している。転写ローラ３３は転写フィルム４６上に担持されているインク画像に熱と圧力とを供給することで、インク画像を記録媒体Ｓに転写する。このため転写ローラ３３はヒートローラで構成されている。センサ２０はインクリボン４１を構成する複数のパネルの位置を検出するセンサである。記録媒体Ｓは搬送ローラ対３０と排出ローラ対３７とによって搬送路Ｐ１を搬送される。
【００１３】
＜インクリボンの構成＞
図２は三種類のインクリボン４１ａ、４１ｂ、４１ｃとそれぞれのセンサ２０による検知信号５１ａ、５１ｂ、５１ｃを示している。センサ２０は発光素子と受光素子とを有している。発光素子はインクリボン４１の第一面から光を照射し、受光素子はインクリボン４１の第二面側に透過してきた光を受光する。センサ２０は受光量が閾値以上であればＯＮ信号を出力し、受光量が閾値以上でなければＯＦＦ信号を出力する。インクリボン４１ａは、イエローインクを保持するイエローパネル（Ｙパネル）と、マゼンタインクを保持するマゼンタパネル（Ｍパネル）と、シアンインクを保持するシアンパネル（Ｃパネル）と、ブラックインクを保持するブラックパネル（Ｋパネル）とを有している。イエローパネル、マゼンタパネルおよびシアンパネルは光の透過率が高いため、センサ２０の検知信号はＯＮ信号となる。一方、ブラックパネルは光の透過率が低いため、センサ２０の検知信号はＯＦＦ号となる。なお、一つ目のＯＦＦ信号から二つ目のＯＦＦ信号までの時間Ｔｋを測定することで、インクリボン４１におけるパネルの数が分かる。
【００１４】
インクリボン４１ｂは紫外線を反射する蛍光インクを保持するＦパネルを有している。Ｆパネルも多くの光を透過するためのセンサ２０の検知信号はＯＮ号となる。
【００１５】
インクリボン４１ｃは転写フィルム４６上に担持されているインク画像を剥ぎ取るＩパネル（ピールオフパネル）を有している。Ｉパネルも多くの光を透過するためのセンサ２０の検知信号はＯＮ号となる。インクリボン４１ｂはＦパネルを有しているため、インクリボン４１ｂについての時間Ｔｋは、インクリボン４１ａについての時間Ｔｋよりも長くなる。インクリボン４１ｃはＩパネルを有しているため、インクリボン４１ｃについての時間Ｔｋは、インクリボン４１ａについての時間Ｔｋよりも長くなる。なお、インクリボン４１の搬送方向において各パネルの長さは基本的に同一である。よって、時間Ｔｋを一つのパネルあたりの搬送時間で除算することで、インクリボン４１を構成しているパネル数が演算可能である。
【００１６】
ところで、インクリボン４１ｂの時間Ｔｋとインクリボン４１ｃの時間Ｔｋとは同一であるため、特許文献１の手法では両者を区別することができない。そこで、インクリボン４１ｂとインクリボン４１ｃとを区別するための方法が必要となる。
【００１７】
＜パネルの構成＞
図３はインクリボン４１を構成する各パネルの構成を示している。パネル６０の表面領域は基本的に全域でインクを保持している。しかし、パネル６０に保持されているインクのうち一部は記録媒体Ｓに転写されない。転写領域６１は、記録媒体Ｓに対して転写されるインクを保持する領域である。非転写領域６２は、記録媒体Ｓに転写されないインクを保持している領域である。ただし、サーマルヘッド４０は、非転写領域６２に保持されているインクに熱を供給して、転写フィルム４６上に転写できる。通常、転写フィルム４６の表面のうち、非転写領域６２に当接する領域は記録媒体のためのインク画像が転写されない余白領域として利用される。本発明で、サーマルヘッド４０は、転写フィルム４６の余白領域に対して、非転写領域６２の一部に保持されているインクによりマーク６３を転写する。また、サーマルヘッド４０は、転写フィルム４６上に担持されているマーク６３をインクリボン４１のピールオフパネルに対して再転写することができる。マーク６３がブラックインクで形成されている場合、センサ２０はマーク６３を検知している間はＯＦＦ信号を出力する。なお、マーク６３はＦパネルに対しては再転写不可能である。つまり、インクリボン４１においてマーク６３が再転写されていれば、インクリボン４１はピールオフパネルを有するインクリボン４１ｃである。インクリボン４１においてマーク６３が再転写されていなければ、インクリボン４１はピールオフパネルを有しないインクリボン４１ｂである。
【００１８】
＜ピールオフ＞
図４はピールオフを説明するための図である。ホストＰＣは記録装置１００に対して記録媒体Ｓに対する記録対象である画像データ６５と、画像データ６５のうち一部をピールオフするためのピールオフ領域６６とを指定する。記録装置１００は、画像データ６５にしたがって転写フィルム４６に対してＡ、Ｂ、Ｃの文字を転写するが、ピールオフ領域６６にしたがってＣの文字を転写フィルム４６から剥ぎ取ってピールオフパネルに再転写する。これにより、転写フィルム４６にはＡ、Ｂの文字だけが残る。ピールオフパネルにはＣの文字が残る。
【００１９】
同様に、記録装置１００は、ブラックインクを用いてマーク６３を転写フィルム４６に転写し、さらに、転写フィルム４６からマーク６３を剥ぎ取ってピールオフパネルに再転写してもよい。これにより、ピールオフパネルにはマーク６３が形成される。
【００２０】
＜記録装置のコントローラ＞
図５は記録装置１００のコントローラ１０を示している。モータ制御部１１は記録要求などに基づきモータＭｒ１〜Ｍｒ４を制御する。熱制御部１２は記録要求などに基づきサーマルヘッド４０を制御する。センサ２０は発光素子２１、受光素子２２および比較回路２３などを有している。比較回路２３はオプションである。比較回路２３は受光素子２２が出力する受光量と閾値とを比較し、受光量が閾値以上であればＯＮ信号を出力し、受光量が閾値以上でなければＯＦＦ信号を出力する。センサ制御部１３は発光素子２１の点灯制御を実行する。時間測定部１４はセンサ２０の検知信号に基づき時間Ｔｋを測定する。パネル数判別部１６は、時間Ｔｋに基づきインクリボン４１を構成しているパネルの数を判別する。マーク長測定部１５は、センサ２０の検知信号に基づきマーク６３の長さを測定するか、マーク６３の有無を検知する。種類判別部１７はマーク６３の長さまたは有無に基づきインクリボン４１の種類を判別する。表示装置１８はインクリボン４１の種類情報を表示したり、エラーメッセージを表示したりする。ドアセンサ１９は記録装置１００に設けられたメンテナンスドアの開閉を検知するセンサである。
【００２１】
＜フローチャート＞
●メインの処理
図６は記録装置１００の起動時から動作停止時までの処理を示すフローチャートである。
・Ｓ６０１でコントローラ１０はインクリボン判別処理を実行する。インクリボン判別処理は図７を用いて後述される。
・６０２でコントローラ１０はホストＰＣからの記録要求があるかどうかを判定する。記録要求があれば、コントローラ１０はＳ６０３に進む。記録要求がなければ、コントローラ１０はＳ６０３をスキップしてＳ６０４に進む。
・Ｓ６０３でコントローラ１０は記録媒体Ｓに対する転写処理（記録処理）を実行する。
・Ｓ６０４でコントローラ１０はドアセンサ１９を用いてメンテナンスドアが閉じているかどうかを判定する。メンテナンスドアはインクリボンカセット４２を交換する際には必ずオープンされるドアである。メンテナンスドアが閉じていれば、コントローラ１０はＳ６０５に進む。メンテナンスドアが閉じていなければ、コントローラ１０はＳ６０６に進む。
・Ｓ６０５でコントローラ１０は電源オフが指示されたかどうかを判定する。電源オフが指示されれば、コントローラ１０はシャットダウン処理を実行し、記録装置１００の動作を停止する。一方で、電源オフが指示されていなければ、コントローラ１０は次の記録要求を待つためにＳ６０２に戻る。
・Ｓ６０６でコントローラ１０はドアセンサ１９を用いてメンテナンスドアが閉じているかどうかを判定する。メンテナンスドアが閉じられると、コントローラ１０はＳ６０１に戻る。これは、メンテナンスドアが開閉されると、インクリボン４１が交換され、インクリボン４１の種類が変更されている可能性がある。そのため、Ｓ６０１で再度、インクリボン４１の種類の判別処理が実行される。
【００２２】
●インクリボン判別処理（Ｓ６０１）の詳細
図７はインクリボン判別処理を示すフローチャートである。
・Ｓ７０１でモータ制御部１１は、インクリボン４１が巻取ロール４４に巻き取られるようモータＭｒ１、Ｍｒ３を駆動し、センサ制御部１３によりセンサを起動し、センサ２０により二つのＫパネルを検知するまでインクリボン４１を正方向に搬送する。モータ制御部１１は、センサ２０により二つのＫパネルを検知するとモータＭｒ１、Ｍｒ３を停止させる。また、時間測定部１４は、センサ２０により一つ目のＫパネルが検知されたタイミングから二つ目のＫパネルが検知されたタイミングまでの時間Ｔｋを測定する。
・Ｓ７０２でパネル数判別部１６は時間Ｔｋが三パネル相当の時間であるかどうかを判別する。たとえば、パネル数判別部１６は時間Ｔｋに基づきインクリボン４１において一つ目のＫパネルと二つ目のＫパネルとの間に存在するパネルの数を求め、求められたパネル数が３であるかどうかを判定する。時間Ｔｋが三パネル相当の時間であれば、コントローラ１０はＳ７０２に進む。時間Ｔｋが三パネル相当の時間でなければ、コントローラ１０はＳ７１１に進む。
【００２３】
◎ＹＭＣＫタイプのインクリボン
・Ｓ７０３で種類判別部１７はインクリボン４１の種類をＹＭＣＫと判別し、種類を示す種類情報にＹＭＣＫを示す識別情報を格納する。コントローラ１０は種類情報を記憶するためのメモリを有している。
・Ｓ７０４でモータ制御部１１は、インクリボン４１が繰出ロール４３に巻き取られるようモータＭｒ１、Ｍｒ３を駆動し、センサ２０により二つのＫパネルを検知するまでインクリボン４１を逆方向に搬送する。これにより、インクリボン判別処理のためにインクパネルが消費されることはない。
・７０５でモータ制御部１１は、インクリボン４１が巻取ロール４４に巻き取られるようモータＭｒ１、Ｍｒ３を駆動し、一つのパネル分だけインクリボン４１を正方向に搬送する。これにより、Ｙパネルが一次転写部Ｂ１に位置することになり、転写準備が整う。
【００２４】
◎ＹＭＣＫＩまたはＹＭＣＫＦタイプのインクリボン
Ｓ７１１でパネル数判別部１６は時間Ｔｋが四パネル相当の時間であるかどうかを判別する。たとえば、パネル数判別部１６は時間Ｔｋに基づきインクリボン４１において一つ目のＫパネルと二つ目のＫパネルとの間に存在するパネルの数を求め、求められたパネル数が４であるかどうかを判定する。時間Ｔｋが四パネル相当の時間であれば、コントローラ１０はＳ７１２に進む。時間Ｔｋが四パネル相当の時間でなければ、コントローラ１０はＳ７２１に進む。
・Ｓ７１２で種類判別部１７はインクリボン４１の種類を暫定的に５Ｐタイプと判別し、種類を示す種類情報に５Ｐタイプを示す識別情報（例：５Ｐ）を格納する。この時点ではインクリボン４１は五つのパネルを一つのグループとするインクリボンであることは判明するが、まだ、ＹＭＣＫＩとＹＭＣＫＦとを区別することはできない。この区別は転写処理内で実行される。コントローラ１０はＳ７０４に進む。
【００２５】
◎エラー処理
・Ｓ７２１でコントローラ１０はインクリボン４１の種類を判別できなかったことなどを示すエラーメッセージを表示装置１８に表示する。
・Ｓ７２２でコントローラ１０はドアセンサ１９を用いてメンテナンスドアが開閉されたかどうかを判定する。メンテナンスドアが一度開いてか閉じられれば、インクリボン４１が交換された可能性がある。この場合、Ｓ７２３に進む。
・Ｓ７２３でコントローラ１０はエラー表示を終了し、再び、インクリボン４１の判別処理を実行するためにＳ７０１に戻る。
【００２６】
●転写処理（Ｓ６０３）の詳細
図８は転写処理を示すフローチャートである。
・Ｓ８０１でコントローラ１０はホストＰＣより指定されたＹパネル、Ｍパネル、Ｃパネルの各画像が転写フィルム４６に転写されるよう、モータＭｒ１〜Ｍｒ４を駆動してインクリボン４１と転写フィルム４６を搬送し、かつ、サーマルヘッド４０を駆動する。モータＭｒ１〜Ｍｒ４はモータ制御部１１を通じて駆動される。サーマルヘッド４０は熱制御部１２を通じて画像データにしたがって駆動される。
・Ｓ８０２でコントローラ１０はインクリボン４１の種類情報を参照し、インクリボン４１の種類が５Ｐであるかどうかを判定する。インクリボン４１の種類が５Ｐであれば、インクリボン４１の種類が確定していないため、コントローラ１０はＳ８０３に進む。一方で、インクリボン４１の種類が５Ｐでない場合、インクリボン４１の種類はＹＭＣＫであるので、Ｓ８１１でＫの画像を転写した後に、コントローラ１０はＳ８０９に進む。（Ｓ８０２でＮＯとなった後に進むフローが、Ｓ８０９の後に入っているものを、Ｓ８０９の前に入るように修正願います）
（発明者にも確認しましたが、図７のフローにおいてＴｋが４パネル相当の時に５Ｐ、Ｔｋが3パネル相当の場合（即ち５Ｐでないとき）にＹＭＣＫ、と判別していることと、図８のフローのＳ８０２でインクリボンが５ＰでないときにＹＭＣＫＩまたはＹＭＣＫＦである可能性を含むことは矛盾してしまうので、上記のように修正しました。図８のステップ８１２〜Ｓ８１４を削除願います。）
◎５Ｐタイプ
・Ｓ８０３でコントローラ１０は、ホストＰＣより指定されたＫパネルの画像とマーク６３が転写フィルム４６に転写されるよう、モータＭｒ１〜Ｍｒ４を駆動してインクリボン４１と転写フィルム４６を搬送し、かつ、サーマルヘッド４０を駆動する。
・Ｓ８０４でコントローラ１０は、ホストＰＣより指定された５パネル目の画像が転写フィルム４６に転写され、転写フィルム４６に保持されているマーク６３が５パネル目に転写されるよう、モータＭｒ１〜Ｍｒ４を駆動してインクリボン４１と転写フィルム４６を搬送し、かつ、サーマルヘッド４０を駆動する。
・Ｓ８０５でモータ制御部１１は、インクリボン４１が繰出ロール４３に巻き取られるようモータＭｒ１、Ｍｒ３を駆動し、一つのパネル分だけインクリボン４１を逆方向に搬送する。センサ２０は、５つ目のパネルについてマーク６３の検知を実行する。マーク長測定部１５は、ブラックインクにより形成されたマーク６３によりセンサ２０の出力信号がＯＦＦとなる時間を測定することで、マーク６３の長さを測定する。
・Ｓ８０６で種類判別部１７はセンサ２０およびマーク長測定部１５により５つ目のパネルからマーク６３を検知できたかどうかを判定する。たとえば、マーク長測定部１５により検知されたマーク６３が閾値以上であれば、種類判別部１７はマーク６３を検知できたと判定し、Ｓ８０７に進む。５つ目のパネルがＩパネルであれば転写フィルム４６に担持されているマーク６３はＩパネルにピールオフされるため、マーク６３が検出される。マーク長測定部１５により検知されたマーク６３が閾値以上でなければ、種類判別部１７はマーク６３を検知できなかったと判定し、Ｓ８０９に進む。５つ目のパネルがＦパネルであれば転写フィルム４６に担持されているマーク６３はＦパネルにピールオフされないため、マーク６３が検出されない。
・Ｓ８０７で種類判別部１７はインクリボン４１の種類をＹＭＣＫＩと判別し、種類情報にＹＭＣＫＩを示す識別情報を格納し、Ｓ８０９に進む。
・Ｓ８０８で種類判別部１７はインクリボン４１の種類をＹＭＣＫＦと判別し、種類情報にＹＭＣＫＦを示す識別情報を格納し、Ｓ８０９に進む。
・Ｓ８０９でモータ制御部１１は、インクリボン４１が巻取ロール４４に巻き取られるようモータＭｒ１、Ｍｒ３を駆動し、一つのパネル分だけインクリボン４１を正方向に搬送する。
【００２７】
◎ＹＭＣＫＩタイプまたはＹＭＣＫＦタイプ
・Ｓ８１１でコントローラ１０は、ホストＰＣより指定されたＫパネルの画像が転写フィルム４６に転写されるよう、モータＭｒ１〜Ｍｒ４を駆動してインクリボン４１と転写フィルム４６を搬送し、かつ、サーマルヘッド４０を駆動する。
・Ｓ８１２でコントローラ１０は、種類情報を参照し、インクリボン４１の種類がＹＭＣＫＩかどうかを判定する。インクリボン４１の種類がＹＭＣＫＩであれば、Ｓ８１３に進む。インクリボン４１の種類がＹＭＣＫＩでなければ、（つまり、インクリボン４１の種類がＹＭＣＫＦであれば）、コントローラ１０はＳ８１４に進む。
・Ｓ８１３でコントローラ１０は、ホストＰＣより指定された画像を転写フィルム４６からＩパネルへピールオフされるよう、モータＭｒ１〜Ｍｒ４を駆動してインクリボン４１と転写フィルム４６を搬送し、かつ、サーマルヘッド４０を駆動する。
・Ｓ８１４でコントローラ１０は、ホストＰＣより指定されたＦパネルの画像が転写フィルム４６に転写されるよう、モータＭｒ１〜Ｍｒ４を駆動してインクリボン４１と転写フィルム４６を搬送し、かつ、サーマルヘッド４０を駆動する。
【００２８】
＜まとめ＞
転写フィルム４６は中間転写体の一例である。インクリボン４１は、第一インクを保持する第一パネルと、第二インクを保持する第二パネルと、第三インクを保持する第三パネルと、第四インクを保持する第四パネルと、中間転写体に転写されたインクをピールオフするためのピールオフパネルまたは第五インクを保持するパネルである第五パネルとを有するインクリボンの一例である。なお、ブラックインクは第一インクの一例である。Ｋパネルは第一パネルの一例である。モータＭｒ１、Ｍｒ３、巻取ロール４４および繰出ロール４３は搬送手段の一例である。サーマルヘッド４０は、インクリボンに保持されているインクを中間転写体に転写するか、または、中間転写体に転写されたインクをインクリボンに剥ぎ取らせるためにインクに熱を供給する熱源の一例である。コントローラ１０は搬送手段および熱源を制御する制御手段の一例である。センサ２０やコントローラ１０はインクリボンの透過率を検出する検出手段の一例である。パネル数判別部１６や種類判別部１７は検出手段により検出された透過率に基づきインクリボンの種類を判別する判別手段の一例である。Ｓ８０３に関して説明されたように、コントローラ１０は、熱源を制御することで第一パネルに保持されている第一インクを中間転写体に転写することで中間転写体に第一インクによるマークを形成する。さらに、Ｓ８０４に関して説明されたように、コントローラ１０は、搬送手段を制御することで中間転写体に形成された当該マークと第五パネルとを位置合わせして熱源により当該マークに熱を供給する。つまり、コントローラ１０は、熱源によりマークに熱を供給することで第五パネルによるマークのピールオフを試行する。さらに、Ｓ８０５に関して説明されたように、コントローラ１０は、検出手段の検出位置に第五パネルが搬送されるよう搬送手段を制御する。種類判別部１７は、検出手段の検出結果に基づき第五パネルにおいてマークが検出されると、インクリボンを、ピールオフパネルを有するインクリボンであると判別する。また、種類判別部１７は、検出手段の検出結果に基づき第五パネルにおいてマークが検出されなければ、インクリボンを、ピールオフパネルを有しないインクリボンであると判別する。よって、本実施例によれば、透過領域の面積と非透過領域の面積が同じである複数のカラーリボンを識別することが可能となる。
【００２９】
図３が示すように、第一パネルは、中間転写体を介して記録媒体に転写される第一インクを保持する転写領域と、記録媒体に転写されない第一インクを保持する非転写領域とを有していてもよい。コントローラ１０は、非転写領域に保持されている第一インクを用いてマークが中間転写体に形成されるよう熱源を制御してもよい。つまり、マーク６３は中間転写体の表面のうち、記録媒体と接触しない余白領域に形成されてもよい。これにより、ユーザ画像に影響を与えることなく、マーク６３を転写フィルム４６に形成可能となる。また、マーク６３のためだけにパネルを消費することもない。
【００３０】
Ｓ８０６で説明されたように、種類判別部１７は、検出手段の検出結果に基づきインクリボンの搬送方向における中間転写体上のマークの長さを測定し、マークの長さが閾値以上であれば、インクリボンを、ピールオフパネルを有するインクリボンであると判別してもよい。種類判別部１７は、マークの長さが閾値以上でなければ、インクリボンを、ピールオフパネルを有しないインクリボンであると判別してもよい。
【００３１】
なお、第一インクはブラックインクであってもよいが、ＹＭＣのいずれかであってもよい。ただし、ＹＭＣの各インクと比較してブラックインクは遮光性に優れており、透過領域と非透過領域とを検出するタイプのセンサ２０では都合がよい。
【００３２】
図４が示すように、インクリボンの搬送方向において、第一パネルないし第五パネルの各長さはいずれも等しくてもよい。この条件は一つ目のＫパネルから二つ目のＫパネルまでの距離（搬送時間Ｔｋ）を測定することでパネル数を求める際に有利であろう。
【００３３】
Ｓ７０２に関して説明されたように、パネル数判別部１６および種類判別部１７は、搬送手段がインクリボンを第一の方向に搬送しているときに、検出手段により一つ目の第一パネルが検出されてから検出手段により二つ目の第一パネルが検出されるまでの搬送距離または搬送時間に基づきインクリボンが第五パネルを有しているかどうかを判別してもよい。また、図８で説明されたように、種類判別部１７は、インクリボンが第五パネルを有している場合に、第五パネルがピールオフパネルかどうかを判別してもよい。
【００３４】
第五インクは紫外線を反射するインクであってもよいが、他の色のインクであってもよい。つまり、Ｆパネルは蛍光インクとは異なるインクを保持していてもよい。
【符号の説明】
【００３５】
１００...記録装置、４６...転写フィルム、４１...インクリボン、Ｍｒ１...モータ、４０...サーマルヘッド、１０...コントローラ、２０...センサ、１７...種類判別部
【図１】
2019217719.tif 000003
【図２】
2019217719.tif 000004
【図３】
2019217719.tif 000005
【図４】
2019217719.tif 000006
【図５】
2019217719.tif 000007
【図６】
2019217719.tif 000008
【図７】
2019217719.tif 000009
【図８】
2019217719.tif 000010